(57)【要約】【課題】クロマキー又はルマキーを含む画像データに対し、適切な画像処理を施すことができる画像処理装置及び画像処理方法を提供する。【解決手段】画像処理装置は、入力画像データのうちメインデータのクロマキーをデコードするメインデコード部と、サブデータのクロマキーをデコードするサブデコード部と、デコードされた画像データを画質調整前に合成するプレ画像合成部と、メインデコード部から出力される画像データ又はプレ画像合成部から出力される合成画像データの画質調整を行う画質調整部と、画質調整後の画像データとサブデコード部から出力される画像データを合成する画像合成部と、入力画像データにクロマキーが含まれる蓋然性が高い場合には、データの合成後に画質調整処理し、入力画像データにクロマキーが含まれる蓋然性が低い場合には、デコードしたメインデータのみを画質調整処理するようデータの経路を制御する経路制御部とを有する。【選択図】図１
2011109245.tif 000002
【特許請求の範囲】
【請求項１】
入力画像データのうちメインデータを受け取りクロマキー又はルマキーをデコードするメインデコード部と、
前記入力画像データのうちサブデータを受け取りクロマキー又はルマキーをデコードするサブデコード部と、
前記メインデコード部及び前記サブデコード部によりデコードされた画像データを画質調整前に合成するプレ画像合成部と、
前記メインデコード部から出力される画像データ及び前記プレ画像合成部から出力される合成画像データの画質調整を行う画質調整部と、
画質調整後の画像データと前記サブデコード部から出力される画像データを合成する画像合成部と、
前記入力画像データにクロマキー又はルマキーが含まれる蓋然性が高い場合には、前記デコードしたメインデータ及びサブデータの合成後に画質調整処理し、前記入力画像データにクロマキー又はルマキーが含まれる蓋然性が低い場合には、前記デコードしたメインデータのみを画質調整処理するようデータの経路を制御する経路制御部とを有する、画像処理装置。
【請求項２】
前記経路制御部は、前記入力画像データにクロマキー又はルマキーが含まれる蓋然性に基づきスイッチング制御される第１乃至第３のスイッチとを有し、
前記第１のスイッチは、前記サブデコード部から出力される画像データを前記プレ画像合成部又は前記画像合成部へ選択的に出力し、
前記第２のスイッチは、前記メインデコード部から出力される画像データを前記プレ画像合成部又は前記第３のスイッチへ選択的に出力し、
第３のスイッチは、前記第２のスイッチの出力又は前記プレ画像合成部からの出力を選択的に前記画質調整部へ出力する、請求項１記載の画像処理装置。
【請求項３】
前記入力画像データにクロマキー又はルマキーが含まれる蓋然性が高い場合には、
前記第１のスイッチは、前記サブデコード部から出力される画像データを前記プレ画像合成部へ出力し、
前記第２のスイッチは、前記メインデコード部から出力される画像データを前記プレ画像合成部へ出力し、
前記第３のスイッチは、前記プレ画像合成部の出力を前記画質調整部へ出力する、請求項２記載の画像処理装置。
【請求項４】
前記入力画像データにクロマキー又はルマキーが含まれる蓋然性が低い場合には、
前記第１のスイッチは、前記サブデコード部から出力される画像データを前記画像合成部へ出力し、
前記第２のスイッチは、前記メインデコード部から出力される画像データを前記第３のスイッチへ出力し、
前記第３のスイッチは、前記第２のスイッチから送られた画像データを前記画質調整部へ出力する、請求項２記載の画像処理装置。
【請求項５】
前記入力画像データからオンスクリーン信号を生成するオンスクリーン生成部を有し、
前記オンスクリーン生成部は、生成したオンスクリーン信号を前記画像合成部へ出力する、請求項１乃至４のいずれか１項記載の画像処理装置。
【請求項６】
前記入力画像データを格納するメモリを有する、請求項１乃至５のいずれか１項記載の画像処理装置。
【請求項７】
前記入力画像データを受信する受信部を有し、
前記受信部は受信したデータから前記メインデータ又はサブデータをデコードして前記メモリの所定の領域に格納する、請求項１乃至６のいずれか１項記載の画像処理装置。
【請求項８】
前記入力画像データにクロマキー又はルマキーが含まれる蓋然性が高いか否かを判定する制御部を有し、
前記制御部は、前記判定結果に応じて前記経路制御部を制御する、請求項１乃至７のいずれか１項記載の画像処理装置。
【請求項９】
前記制御部は、入力画像データの種別に応じて当該判定を行う、請求項８記載の画像処理装置。
【請求項１０】
前記制御部は、前記サブデコード部が受け取った画像データが静止画像である場合は、前記入力画像データにクロマキー又はルマキーが含まれていないものとして前記経路制御部を制御する、請求項８又は９記載の画像処理装置。
【請求項１１】
クロマキー又はルマキーが含まれる蓋然性が高い前記入力画像データはＤＶＤ（Digital Versatile Disc）データである、請求項１乃至１０のいずれか１項記載の画像処理装置。
【請求項１２】
クロマキー又はルマキーが含まれる蓋然性が低い前記入力画像データはデータ放送される画像データである、請求項１乃至１１のいずれか１項記載の画像処理装置。
【請求項１３】
前記メインデコーダ部及び前記サブデコーダ部は、前記クロマキー又はルマキーのデコード後にスケーリング処理を行うか、又はスケーリング処理後にクロマキー又はルマキーをデコードする、請求項１乃至１２のいずれか１項記載の画像処理装置。
【請求項１４】
前記入力画像データにクロマキー又はルマキーが含まれる蓋然性が高い場合には、入力画像データのうちメインデータ及びサブデータを受け取り、それぞれクロマキー又はルマキーをデコードし、前記デコードしたメインデータ及びサブデータを合成してから画質調整処理を行い、
前記入力画像データにクロマキー又はルマキーが含まれる蓋然性が低い場合には、入力画像データのうちメインデータのみを画質調整処理する、画像処理方法。
【請求項１５】
前記入力画像データのうちオンスクリーンデータを受け取りオンスクリーンを生成し、
前記画質調整処理後の画像データに前記オンスクリーンを合成する、請求項１４記載の画像処理方法。
【請求項１６】
前記入力画像データにクロマキー又はルマキーが含まれる蓋然性が高いか否かを判定し、この判定結果に応じて合成後の画像データを画質調整するか、メインデータのみを画質調整するかを決定する、請求項１４又は１５記載の画像処理方法。
【請求項１７】
前記入力画像データの種別に応じて前記入力画像データにクロマキー又はルマキーが含まれる蓋然性が高いか否かの判定を行う、請求項１６記載の画像処理方法。
【請求項１８】
前記サブデータが静止画像である場合は、前記メインデータのみを画質調整する、請求項１６又は１７記載の画像処理方法。
【請求項１９】
クロマキー又はルマキーが含まれる蓋然性が高い前記入力画像データはＤＶＤ（Digital Versatile Disc）データである、請求項１４乃至１８のいずれか１項記載の画像処理方法。
【請求項２０】
クロマキー又はルマキーが含まれる蓋然性が低い前記入力画像データはデータ放送される画像データである、請求項１４乃至１９のいずれか１項記載の画像処理方法。
【発明の詳細な説明】
【技術分野】
【０００１】
本発明は、クロマキー又はルマキーを含む画像データを処理する画像処理装置及び画像処理装置に関する。
【背景技術】
【０００２】
図４は、特許文献１記載のオンスクリーン重畳装置である。図４に示すように、アンテナ１０４を介してデータを受信するアナログ放送受信部１０１と、アナログ放送受信部１０１の出力のスケーリングをするスケーラ部１０２と、その出力を表示するモニタ１０３とを有する。アナログ放送受信部１０１は、受信部１０５、デコード部１２０、合成部１１２、映像フォーマット変換部１１１、入力部１１９、及びオンスクリーン生成部１２１を有する。スケーラ部１０２は、スケーリング部１１６、画質調整部１１７及びフラグスケーリング部１１８を有している。
【０００３】
このオンスクリーン重畳装置において、オンスクリーン生成部１２１は、入力映像信号に基づく画像にオンスクリーン表示を重ねて表示するためのオンスクリーン信号を生成する。また、オンスクリーン生成部１２１は、画像上におけるオンスクリーン表示の位置を示すオンスクリーンフラグを生成する。合成部１１２は、入力映像信号に基づく画像にオンスクリーン表示を合成して合成画像を得る。この合成画像は、スケーリング部１１６によって、表示手段の表示領域に合わせてスケーリング処理される。一方、フラグスケーリングヴ１１８は、オンスクリーンフラグについても、スケーリング部１１６によるスケーリング処理に応じたスケーリング処理を施す。これにより、スケーリング処理後のオンスクリーンフラグは、スケーリングされた合成画像中のオンスクリーン表示の表示期間に対応したものとなる。画質調整部１１７は、スケーリング処理後のオンスクリーンフラグが非アクティブの期間にのみ合成画像の画質調整を行い、スケーリング処理後のオンスクリーンフラグがアクティブの期間には合成画像の画質調整を行わない。
【０００４】
このように、特許文献１に記載の技術においては、入力映像信号に基づく画像にオンスクリーン表示を合成し、合成後に画質調整を実施する。オンスクリーン生成部１２１が画像上におけるオンスクリーン表示の位置を示すオンスクリーンフラグを生成するため、オンスクリーン表示を別領域と認識することが可能であり、オンスクリーン表示の領域には画質調整せずに出力することができる。
【０００５】
また、特許文献２には、ビデオ表示領域に複数のビデオ画面を出力し、それぞれの画面に対して異なる画質調整処理を実施する。それぞれの座標位置がどの画面に対応するかについては、外部からビデオ表示回路と画質調整回路に対して情報を出力する。オンスクリーンと画像の合成については、画質調整実施後に行うので、オンスクリーンが画質調整されることがない。
【先行技術文献】
【特許文献】
【０００６】
【特許文献１】特開２００５−２１７９７１号公報
【特許文献２】特開２００６−３４５３０９号公報
【発明の概要】
【発明が解決しようとする課題】
【０００７】
しかしながら、特許文献１に記載の技術においては、静止画扱いのビデオデータ（以下、サブビデオという。）が含まれていても、全てのビデオデータを同一とし、全領域に画質調整処理を行ってしまうという問題点がある。
【０００８】
ところで、特定の色の成分から映像の一部を透明にし、そこに別の映像を合成するキーイングの一種として、クロマキー(Chroma key)もしくはクロマキー合成という技術がある。上記特許文献１に対し、このクロマキーを含む画像データを入力しようとする場合、サブビデオ用のデコーダを追加し、サブビデオとメインビデオを合成部１１２により合成することが考えられる。しかしながら、この場合、サブビデオに画質調整を施すことが不適当である場合にもサブビデオにも常時画質調整が行われてしまうという問題点がある。なお、特許文献２についても、クロマキーを含む画像データに対応したものではない。
【課題を解決するための手段】
【０００９】
本発明に係る画像処理装置は、入力画像データのうちメインデータを受け取りクロマキー又はルマキーをデコードするメインデコード部と、前記入力画像データのうちサブデータを受け取りクロマキー又はルマキーをデコードするサブデコード部と、前記メインデコード部及び前記サブデコード部によりデコードされた画像データを画質調整前に合成するプレ画像合成部と、前記メインデコード部から出力される画像データ及び前記プレ画像合成部から出力される合成画像データの画質調整を行う画質調整部と、画質調整後の画像データと前記サブデコード部から出力される画像データを合成する画像合成部と、前記入力画像データにクロマキー又はルマキーが含まれる蓋然性が高い場合には、前記デコードしたメインデータ及びサブデータの合成後に画質調整処理し、前記入力画像データにクロマキー又はルマキーが含まれる蓋然性が低い場合には、前記デコードしたメインデータのみを画質調整処理するようデータの経路を制御する経路制御部とを有するものである。
【００１０】
本発明に係る画像処理方法は、前記入力画像データにクロマキー又はルマキーが含まれる蓋然性が高い場合には、入力画像データのうちメインデータ及びサブデータを受け取り、それぞれクロマキー又はルマキーをデコードし、前記デコードしたメインデータ及びサブデータを合成してから画質調整処理を行い、前記入力画像データにクロマキー又はルマキーが含まれる蓋然性が低い場合には、入力画像データのうちメインデータのみを画質調整処理するものである。
【００１１】
本発明においては、入力画像データにクロマキー又はルマキーが含まれる蓋然性が高い場合には、メインデータ及びサブデータを合成してから画質調整処理を行うことで、メインデータ及びサブデータに同一の画質調整処理を施すことができる。また、入力画像データにクロマキー又はルマキーが含まれる蓋然性が低い場合にはメインデータのみを画質調整処理することで、サブデータに画質調整を行わず、メインデータにのみ画質調整することができる。
【発明の効果】
【００１２】
本発明によれば、クロマキー又はルマキーを含む画像データに対し、適切な画像処理を施すことができる画像処理装置及び画像処理方法を提供することができる。
【図面の簡単な説明】
【００１３】
【図１】本発明の実施の形態にかかる画像処理装置を示す図である。
【図２】本発明の実施の形態にかかる画像処理装置の動作を示す図であって、メインビデオデータを、サブビデオデータと合成する前に画質調整する場合を示す図である。
【図３】本発明の実施の形態にかかる画像処理装置の動作を示す図であって、メインビデオデータはサブビデオデータを合成してから画質調整する場合を示す図である。
【図４】特許文献１記載のオンスクリーン重畳装置である。
【発明を実施するための形態】
【００１４】
以下、本発明を適用した具体的な実施の形態について、図面を参照しながら詳細に説明する。この実施の形態は、本発明を、クロマキーを含む画像データ、例えばＤＶＤ（Digital Versatile Disc）やＢｌｕ−ｒａｙなどのデータに対し適切な画像処理を施すことができる画像処理装置及び画像処理方法に適用したものである。
【００１５】
図１は、本発明の実施の形態にかかる画像処理装置を示す図である。画像処理装置１は、メインデコード部１７、サブデコード部２３、プレ画像合成部（プリブレンダ）２７、画質調整部４１、画像合成部（ブレンダ）４２及び経路制御部（不図示）を有する。
【００１６】
メインデコード部１７は、入力画像データのうちメインビデオデータのクロマキーをデコードする。サブデコード部２３は、入力画像データのうちサブビデオデータのクロマキーをデコードする。プリ画像合成部３７は、メインデコード部１７及びサブデコード部２３によりデコードされた画像データを画質調整前に合成する。画質調整部４１は、メインデコード部１７から出力される画像データ及びプレ画像合成部２３から出力される合成画像データの画質調整を行う。画像合成部４３は、画質調整後の画像データとサブデコード部２３から出力される画像データを合成する。
【００１７】
経路制御部は、入力画像データにクロマキーが含まれる蓋然性が高い場合には、デコードしたメインビデオデータ及びサブビデオデータの合成後に画質調整処理し、入力画像データにクロマキーが含まれる蓋然性が低い場合には、デコードしたメインビデオデータのみを画質調整処理するようデータの経路を制御する。
【００１８】
この画像処理装置においては、入力画像データが、クロマキー（ルマキー）を含むコンテンツの場合は、メインビデオデータとサブビデオデータを合成してから画質調整処理を行い、クロマキー（ルマキー）を含まないコンテンツの場合は、メインビデオデータにのみ画質調整処理を行うことができる。また、オンスクリーンには、常に画質調整を行わない。このため、本実施の形態にかかる画像処理装置は、プリ画像合成部３７及び経路制御部により、メインデコード部１７の出力をプリ画像合成部３７に入力するか否かを決定し、また、プリ画像合成部３７と画像合成部４３の間に画質調整部４１を備える。これにより、必要な場合にのみ画質調整を行う画像処理装置を低コストで実現する。以下の説明においては、コンテンツがクロマキーを含む場合を例にとって説明するが、ルマキーであっても同様に取り扱うことができる。
【００１９】
以下、本実施の形態にかかる画像処理装置について更に詳細に説明する。本実施の形態にかかる画像処理装置は、さらに、アンテナ部１１を介してデータを受信する受信部１３、受信部１３が受信したデータを格納するユーザメモリ１５、オンスクリーン生成部２９、経路制御部その他の制御を行うＣＰＵ（Central Processing Unit）４７、画像合成部４３が合成した画像データを表示する表示部４５を有する。
【００２０】
受信部１３は、受信したデータからメインビデオデータ及びサブビデオデータを生成してユーザメモリ１５の所定の領域に格納する。受信部１３が受信したデータをユーザメモリ１５に書き込むタイミング、メインデコード部１７、サブデコード部２３及びオンスクリーン生成部２９がユーザメモリ１５からデータを読み込むタイミング等はＣＰＵ４７により制御される。また、受信部１３は、入力画像データのうち、メインビデオデータ、サブビデオデータ、オンスクリーンデータを、ユーザメモリ１５の所定の領域に書き込む。
【００２１】
メインデコード部１７は、クロマキーデコード部２５及びスケーリング部２７を有し、クロマキーデコード部２５により、動画データのクロマキーデコードを行い、スケーリング部２７により表示部４５の大きさに適合するようにスケーリングを行う。なお、スケーリングしてから、クロマキーをデコードしてもよい。
【００２２】
クロマキーデコード部２５がユーザメモリ１５の所定の領域からメインビデオデータを読み込む。メインビデオデータとは、主画像であり、通常は動画像である。また、透過度の定義を含まないデータからなる。クロマキーデコード部２５は、この画像データに対し、透明の領域を作るためのデコード処理を行う。ユーザメモリ１５から読み込む入力画像データは、Ｙ、Ｃｂ、Ｃｒ形式の画像データであり、出力データは、α（透過度）を有するＹ、Ｃｂ、Ｃｒ形式の画像データとなる。すなわち、クロマキー又はルマキーを含む動画データの場合、クロマキー又はルマキーで透明化された部分以外はすべて不透明（もしくは半透明）の表示となるような画像データを生成する。
【００２３】
例えば、Ｙ＝１０、Ｃｂ＝１０、Ｃｒ＝１０というデータがクロマキーと定義されている場合、Ｙ＝１０、Ｃｂ＝１０、Ｃｒ＝１０というデータ部分だけが透明のαを有することになり、それ以外の全てのＹ／Ｃｂ／Ｃｒの組み合わせは不透明のαを有し、透明にならずそのまま出力される。通常クロマキーは規格で定められたＹ／Ｃｂ／Ｃｒの範囲外（通常の色を出している場合は使わない領域）に設定される。
【００２４】
サブデコード部２３も、クロマキーデコード部２５及びスケーリング部２７を有し、クロマキーデコード部２５によりクロマキー又はルマキーをデコードしてからスケーリング部２７によりスケーリングを行う。なお、スケーリングしてから、クロマキー又はルマキーをデコードしてもよい。クロマキーデコード部２５は、ユーザメモリ１５の所定の領域からサブビデオデータを読み出し、読み出したデータのクロマキー又はルマキーのデコードを行う。
【００２５】
サブビデオデータは、副画像であり、背景用の画像である。通常は静止画であるが動画像の場合もあり、メインビデオデータと同様に透過度の定義を含まないデータである。例えば地上ディジタル放送の場合は、クロマキーを含まない静止画像データとなり、ＤＶＤデータ、Ｂｌｕ−ｒａｙディスク（ＢＤ）からのデータの場合は、動画又は静止画扱いのビデオデータである。ここで、静止画のビデオデータとは、静止画であるものの、データ形式及び構造が動画と全く同一のものを示す。
【００２６】
オンスクリーン生成部２９は、入力画像データからオンスクリーン信号を生成し、生成したオンスクリーン信号を前記画像合成部へ出力する。オンスクリーン信号により、文字情報、図形情報、及び字幕情報などを表示することができる。オンスクリーン生成部２９は、ユーザメモリ１５の所定の領域から、オンスクリーンデータを読み込み、例えば、Ｙ、Ｃｂ、Ｃｒ形式の画像データを画像合成部に出力する。この画像データは、画素毎に個別の透過度を有するデータである。オンスクリーン生成部２９は、スケーリング部３１を有し、オンスクリーンのスケールを表示部４５の大きさに適合するものに変換する。本実施の形態にかかるオンスクリーン信号は画質調整部４１を通らないので画質調整されることがない。
【００２７】
プリ画像合成部３７は、メインデコード部１７が出力する画像データと、サブデコード部２３が出力する画像データを合成する。合成はα（アルファ）ブレンドによって行う。アルファブレンド後に例えばＹ、Ｃｂ、Ｃｒ形式の画像データを出力する。なお、入力される画像データには透過度の情報を含むが、アルファブレンド合成後は不透明データを出力する。
【００２８】
画質調整部４１は、γ補正、シャープネス（Sharpness）、マトリックス（Matrix）演算（色調補正、色レベル・輝度レベル補正等を実施）などの処理を行う。
【００２９】
画像合成部４３は、画質調整機能の出力、プリ画像合成部３７を使用しない場合はサブデコード部２３の出力データと、オンスクリーン生成部２９からのオンスクリーンを合成する。合成はαブレンドによって行う。出力データは、例えばＹ、Ｃｂ、Ｃｒ形式であって、透過度のない不透明データを表示部４５に出力する。
【００３０】
経路制御部は、第１スイッチ３３、第２スイッチ３５及び第３スイッチ３９から構成され、ＣＰＵ４７の制御のもと、スイッチング動作を行い、データの経路を決定する。
【００３１】
ここで、第１スイッチ３５は、サブデコード部２３から出力される画像データをプレ画像合成部３７又は画像合成部４３へ選択的に出力する。第２スイッチ３３は、メインデコード部１７から出力される画像データをプレ画像合成部３７又は第３スイッチ３９へ選択的に出力する。また、第３スイッチ３９は、第２スイッチ３３の出力又はプレ画像合成部３７からの出力を選択的に画質調整部４１へ出力する。
【００３２】
そして、入力画像データにクロマキー又はルマキーが含まれる蓋然性が高い場合には、第１スイッチ３５は、サブデコード部２３から出力される画像データをプレ画像合成部３７へ出力する。第２スイッチ３３は、メインデコード部１７から出力される画像データをプレ画像合成部３７へ出力する。第３スイッチ３９は、プレ画像合成部３７の出力を画質調整部４１へ出力する。これにより、入力画像データにクロマ又はルマキーが含まれる蓋然性が高い場合には、メインビデオデータ及びサブビデオデータが合成された後、両者に同一の画質調整が実施される。
【００３３】
一方、入力画像データにクロマキー又はルマキーが含まれる蓋然性が低い場合には、第１スイッチ３５は、サブデコード部２３から出力される画像データを画像合成部４３へ出力する。第２スイッチ３３は、メインデコード部１７から出力される画像データを第３スイッチ３９へ出力する。第３スイッチ３９は、第２スイッチ３３から送られた画像データを画質調整部へ出力する。これにより、入力画像データにクロマ又はルマキーが含まれる蓋然性が低い場合には、メインビデオデータにのみ画質調整が施され、その後、サブビデオデータと合成される。
【００３４】
ＣＰＵ４７は、入力画像データにクロマキー又はルマキーが含まれる蓋然性が高いか否かを判定し、この判定結果に応じて第１乃至第３スイッチ３３、３５、３９のスイッチングを制御する。本実施の形態においては、ＣＰＵ４７は、入力画像データの種別に応じて当該判定を行う。ここで、本実施の形態においては、アンテナ１１及び受信部１３を有し、例えば地上ディジタル放送などを受信する装置として説明しているが、入力画像データは、ＤＶＤ又はＢｌｕ−ｒａｙディスクからのデータであってもよい。そして、ＣＰＵ４７は、入力画像データが、ＤＶＤデータ、Ｂｌｕ−ｒａｙディスクからのデータであれば、クロマキー又はルマキーが含まれるものと判定し、地上ディジタル放送を受信したデータであれば、クロマキー又はルマキーが含まれるものと判定し、これらの判定結果に基づきスイッチを制御することができる。また、ＣＰＵ４７は、サブデコード部２３が受け取った画像データが静止画像である場合は、入力画像データにクロマキー又はルマキーが含まれていないものとして各スイッチを制御することも可能である。
【００３５】
次に、本実施の形態にかかる画像処理装置の動作について説明する。図２及び図３は、それぞれメインビデオデータ及びサブビデオデータを合成してから画像処理する場合を示す図、合成せずにメインビデオデータにのみ画像処理する場合を示す図である。
【００３６】
図２に示すように、入力画像データが、例えば地上ディジタル放送受信データである場合、第１スイッチ３５は、サブビデオデータを画像合成部４３に入力する。また、第２スイッチ３３及び第３スイッチ３９は、メインビデオデータを直接画質調整部４１に入力する。これらにより。メインビデオデータはサブビデオデータと合成される前に画質調整されることになる。
【００３７】
一方、入力画像データが、ＤＶＤデータ、Ｂｌｕ−ｒａｙディスクからのデータなどである場合、図３に示すように、第１スイッチ３５は、サブビデオデータをプリ画像合成部３７に入力する。また、第２スイッチ３３はメインビデオデータをプリ画像合成部３７に入力する。これにより、プリ画像合成部３７は、画質調整前に、メインビデオデータ及びサブビデオデータの合成処理を行う。その後、第３スイッチ３９を介して合成処理された画像データが画質調整部４１に入力され画質調整される。なお、オンスクリーン生成部２９からのオンスクリーン信号は、常に画像合成部４３に直接入力され、画質調整の対象にならない。
【００３８】
本実施の形態においては、クロマキー又はルマキーを含むコンテンツの場合は、メインデコード部１７お及びサブデコード部２３でクロマキー又はルマキーをデコードし、第１スイッチ３５及び第２スイッチ３３をプリ画像合成部３７側に切り替えることによって、メインビデオデータとサブビデオデータが合成後に画質調整部４１に入力さえる。これにより、メインビデオデータとサブビデオデータに対し、同一の画質調整処理を行うことが可能となる。例えば、メインビデオデータとサブビデオデータ合成して１枚の映像になるような場合に、メインビデオデータから生成した部分とサブビデオデータから生成した部分との間で境界を発生させないようにすることが可能である。
【００３９】
例えば、メインビデオデータが上面部、サブビデオデータが下面部となるよう合成する場合、上面部のメインビデオデータのクロマキーデコードで透明になった領域にのみ下面部のサブビデオデータの領域が現れることになる。この状態で、画質調整をかけるとメインビデオデータとサブビデオデータに同一の画質調整がかかる。従来は、メインビデオデータ（動画）にのみ画質調整を実施していた。しかしながら、メインビデオデータ及びサブビデオデータが全く同一の元絵で、メインビデオデータの一部分がルマキーで抜かれ、サブビデオデータと合成した画像からなるコンテンツがある。この場合、出力画像は、表面上は合成前と同一の画像となる。この画像に境界を生じさせることを不可とすることが期待される出力である場合、従来法通りメインビデオデータにのみ画質調整を行うと、画質調整効果の差分により、境界が現れ、期待される出力を得られないこととなる。また、このようなコンテンツの期待値はＯＳＤに画質調整を実施するか否かは不問（コンテンツの期待値として、ＯＳＤに画質調整を行うか否かは含まれていないこと）になっているものの、ＯＳＤの品位を維持しようとすると、ＯＳＤに画質調整を実施しないようにするためのなんらかの対策が必要であった。
【００４０】
また、クロマキー又はルマキーを含まないコンテンツの場合は、メインビデオデータのみに画質調整処理を行うことが可能となる。したがって、静止画扱いのサブビデオデータと静止画のオンスクリーン信号の画質調整処理を同一とすることが可能となる。よって、オンスクリーン信号とサブビデオデータが映像的にぴったり重なっている場合についても境界を発生させることがない。なお、メインビデオデータとサブビデオデータを半透明でアルファブレンドを行うことも可能となる。
【００４１】
例えば、特許文献１等において、クロマキーに対応させようとする場合、メインビデオデータ及びサブビデオデータの両方に画質調整回路を備える構成とすることが考えられるが、画質調整回路は、回路の規模自体が大きく、コストが上昇する。一方で、オンスクリーン信号を含め全てを合成した後に画質調整を行えば、メインビデオデータ及びサブビデオデータに対し、常に同一の画質調整をかけることができるが、オンスクリーン信号の品質が低下する。
【００４２】
さらに、本実施の形態においては、オンスクリーン信号については画質調整処理を常に行わない。例えば、画質調整回路４１の処理には、水平・垂直の隣接画素を含めたフィルタ処理が入るものがある。そのようなフィルタ処理を含む画質調整を行うと、オンスクリーンに分類される字幕情報については、文字の周囲にリンギング（輪郭が多重像になる状態）やぼけ（輪郭がぼやけて文字が不鮮明になる）が表れてしまい品質が低下する。文字については画素自体が細かく特に影響が現れやすいため問題となる。
【００４３】
本実施の形態においては、コンテンツ毎に経路制御部によって画像データのパスを切り替えることができ、コンテンツに応じて、必要な場合にのみ画質調整を行うことができる。また、ビデオデータ（メインビデオデータのみ、又はメインビデオデータ及びサブビデオデータ）に対してのみ画質調整処理を行った後に、画質調整を行わないデータ（オンスクリーン信号、又はオンスクリーン信号およびサブビデオデータ）に対して合成を行うため、オンスクリーン及びオンスクリーン相当として扱うサブビデオデータに対して画質調整処理を行わないことが可能となる。
【００４４】
なお、本発明は上述した実施の形態のみに限定されるものではなく、本発明の要旨を逸脱しない範囲において種々の変更が可能であることは勿論である。
【００４５】
例えば、上述の実施の形態では、ハードウェアの構成として説明したが、これに限定されるものではなく、任意の処理を、ＣＰＵ（Central Processing Unit）にコンピュータプログラムを実行させることにより実現することも可能である。この場合、コンピュータプログラムは、記録媒体に記録して提供することも可能であり、また、インターネットその他の伝送媒体を介して伝送することにより提供することも可能である。
【符号の説明】
【００４６】
１１  アンテナ
１３  受信部
１５  ユーザメモリ
１７  メインデコード部
１９  クロマキーデコード部
２１  スケーリング部
２３  サブデコード部
２５  クロマキーデコード部
２７  スケーリング部
２９  オンスクリーン生成部
３１  スケーリング部
３３  第２スイッチ
３５  第１スイッチ
３９  第３スイッチ
３７  プリ画像合成部
４１  画質調整部
４３  画像合成部
４５  表示部
【図１】
2011109245.tif 000003
【図２】
2011109245.tif 000004
【図３】
2011109245.tif 000005
【図４】
2011109245.tif 000006